(57)【要約】【課題】  製品の底面寸法または高さ寸法のいずれかについての検索を可能にする。【解決手段】  検索システム運営サーバ１２は、ユーザ端末１６に検索条件入力画面を表示する（ステップＳ１０）。ユーザは、製品の底面寸法と高さとの少なくともいずれか一方と、所定の特性とを含む検索条件を検索システム運営サーバ１２に送信する（ステップＳ１２）。検索システム運営サーバ１２は、基本データ記憶部を検索し、検索条件に合った製品のデータを読み出す（ステップＳ１４）。この基本データ記憶部の検索は、製品の底面寸法または高さ寸法のいずれか一方の指定による検索が可能となっている。検索システム運営サーバ１２は、検索条件に合った複数の製品のデータを抽出した場合（ステップＳ１６）、予め与えられているソート条件に従って、ユーザへの推奨順序に並べ替えて出力する（ステップＳ１８、ステップＳ２０）。【選択図】        図１
2005092602.tif 000002
【特許請求の範囲】
【請求項１】
電子部品の特性および底面寸法と高さ寸法とを記憶している記憶部と、
前記電子部品の底面寸法と前記高さ寸法との少なくともいずれか一方と、前記電子部品の所定の特性とを含む検索要求情報を、通信網を介して受信する通信部と、
前記通信部が受信した前記検索要求情報に基づいて、前記記憶部を検索して検索結果を出力する製品検索部と、
を有することを特徴とする製品情報提供システム。
【請求項２】
請求項１に記載の製品情報提供システムにおいて、
前記製品検索部は、予め与えられたソート条件に基づいて、検索して抽出した製品をユーザへの推奨順に並べ替えて出力することを特徴とする製品情報提供システム。
【請求項３】
請求項１または２に記載の製品情報提供システムにおいて、
前記製品検索部は、前記記憶部に前記検索要求情報に適合する製品の情報が記憶されていないときに、ユーザの要求する仕様の入力が可能な要求仕様入力画面を、前記通信網を介してユーザ端末に表示することを特徴とする製品情報提供システム。
【発明の詳細な説明】
【技術分野】
【０００１】
本発明は、製品情報提供システムに係り、特にインターネットなどの通信網を介して電子部品の商品情報を提供する製品情報提供システムに関する。
【背景技術】
【０００２】
電子機器は、抵抗器やコンデンサ、半導体装置、圧電発振器など、多くの種類の電子部品を組み付けて製造される。従来、これらの電子部品のユーザは、電子部品を購入する場合、各メーカのカタログを取り寄せ、またはＷｅｂ上の製品情報から製品（電子部品）の種類、周波数、精度、動作電圧、出力、形状、サイズ等の仕様値を参考にして、自分の希望する仕様に合った製品を探すようにしていた。このため、従来は、電子部品の購入に多くの手間と時間とを必要としていばかりでなく、電子機器の設計にも少なからず影響していた。そこで、近年は、ユーザの便宜を考慮して、Ｗｅｂ上で製品の機能を検索できるようにしたシステムが提案されている（例えば、特許文献１）。
【特許文献１】特開２００２−３５８４４９号公報
【発明の開示】
【発明が解決しようとする課題】
【０００３】
ところで、近年、電子機器は、携帯電話装置をはじめとして多機能化、高性能化の進展が著しい。また、電子機器は、小型化、薄型化により部品の実装密度が大幅に向上しているが、小型化、薄型化の傾向がさらに強まっている。このため、電子機器の設計、製造には、電子部品の実装面積または電子部品の高さ（厚み）の検討を欠かすことができない。すなわち、電子機器の設計に際して、電子部品の実装面積（部品の底面積）をある値以下に押える必要がある、または電子部品の高さ（厚み）を何ｍｍ以下にしなければならない、などの要求が強まっている。ところが、特許文献１に記載された製品検索システムにおいては、検索条件として電子部品の大きさ（サイズ）を指定する場合、長さ（Ｌ）、幅（Ｗ）、高さ（Ｈ）の３つの寸法をセットで選択あるいは入力しなければならず、電子部品の底面寸法または高さ寸法のみを入力して検索することができなかった。このため、許容される実装面積または実装高さに適合する電子部品を検索するのが容易でなかった。
【０００４】
さらに、特許文献１に記載の検索システムは、検索結果を単に製品のカテゴリー（種別）順、製品名順等で表示するようになっており、ユーザの視点に立った順番とは言い難かった。そして、従来の製品検索システムにおいては、ユーザが入力した検索条件に合致する製品がない場合、「該当なし」などの表示がされ、新たな検索条件を入力して再度検索する必要があり、ユーザが本来望んでいる仕様を満たす製品に対してメーカが対応可能であるか否かを確認することが困難であった。
【０００５】
本発明は、前記従来技術の欠点を解消するためになされたもので、製品の底面寸法または高さ寸法のいずれかについての検索を可能にすることを目的としている。
また、本発明は、ユーザの利用価値を向上させることを目的としている。
さらに、本発明は、ユーザの本当に望んでいる仕様を容易に把握できるようにすることを目的としている。
【課題を解決するための手段】
【０００６】
上記の目的を達成するために、本発明に係る製品情報提供システムは、電子部品の特性および底面寸法と高さ寸法とを記憶している記憶部と、前記電子部品の底面寸法と前記高さ寸法との少なくともいずれか一方と、前記電子部品の所定の特性とを含む検索要求情報を、通信網を介して受信する通信部と、前記通信部が受信した前記検索要求情報に基づいて、前記記憶部を検索して検索結果を出力する製品検索部と、を有することを特徴としている。
【０００７】
このようになっている本発明は、電子部品の底面寸法または高さ寸法のいずれか一方を指定して検索することができる。このため、実装する電子部品の実装面積の大きさに制約がある場合、または高さ寸法に制約がある場合に、その実装面積または高さ寸法に対応できる電子部品のみを容易に抽出することができ、電子部品の購入を容易、迅速に行なうことができ、電子機器の設計などを迅速に進めることができる。
【０００８】
前記製品検索部は、検索して抽出した製品を、最も遅く（最近に）開発された製品の順、高機能な製品の順、仕様温度範囲の広い製品の順、適用範囲の広い順とか、予め与えられたソート条件に基づいて、検索した製品の順序をユーザに推奨する順に並び替えて出力するようにできる。これにより、ユーザの視点に立った製品情報を提供することができ、ユーザの利用価値が向上する。
【０００９】
また、前記製品検索部は、前記記憶部に前記検索要求情報に適合する製品の情報が記憶されていないときに、ユーザの要求する仕様の入力が可能な要求仕様入力画面を、前記通信網を介してユーザ端末に表示するようにできる。これにより、ユーザは、自分が本当に望む仕様の製品を探すのに何度も検索する必要がない。そして、ユーザが本当に手に入れたいものは何かを容易に把握することができ、迅速な対応が可能になる。
【発明を実施するための最良の形態】
【００１０】
本発明に係る製品情報提供システムの好ましい実施の形態を、添付図面に従って詳細に説明する。図２は、本発明の実施の形態に係る製品情報提供システムの構成ブロック図である。図２において、製品情報提供システム１０は、検索システム運営サーバ１２を備えており、この検索システム運営サーバ１２がインターネットなどの通信網１４を介して複数のユーザ端末１６（１６ａ、１６ｂ、………１６ｎ）に接続してある。また、検索システム運営サーバ１２は、イントラネットやＬＡＮ（Ｌｏｃａｌ  Ａｒｅａ  Ｎｅｔｗｏｒｋ）などの通信網１８を介してカスタム引合いシステム運営サーバ２０に接続してある。そして、カスタム引合いシステム運営サーバ２０は、通信網１４を介してユーザ端末１６に接続してある。
【００１１】
検索システム運営サーバ１２は、図３に示したように、通信網１４、１８を介してユーザ端末１６およびカスタム引合いシステム運営サーバ２０との間で情報の送受信を行なう通信部２２を備えている。また、検索システム運営サーバ１２は、データ登録・変更処理部２４、検索条件提供部２６、カスタム引合い仕様入力部２８、入出力インタフェース３０を有し、これらが通信部２２とともにバス３２に接続してある。さらに、検索システム運営サーバ１２は、データ登録・変更処理部２４に接続した記憶部３４、検索条件提供部２６に接続した製品検索部３６、カスタム引合い仕様入力部２８に接続した要求仕様・ユーザ情報確認部３８、この要求仕様・ユーザ情報確認部３８に接続した要求仕様・ユーザ情報格納部４０を有している。そして、入出力インタフェース３０には、キーボードやマウスなどからなる入力部４２および表示装置４４などが接続してある。
【００１２】
データ登録・変更処理部２４は、図示しないサーバ運営管理者が入力部４２を操作して入力したデータや命令に基づいて、記憶部３４に対して新たなデータの登録、変更（書替え）、削除などが行なえるようになっている。そして、記憶部３４は、登録用各種マスタ記憶部３４ａ、基本データ記憶部３４ｂ、詳細データ記憶部３４ｃ、リンクデータ記憶部３４ｄ、関連性管理データ記憶部３４ｅなどを有している。
【００１３】
登録用各種マスタ記憶部３４ａは、基本データや詳細データなどのデータベースの構築を容易にするためのもので、例えば電子部品（製品）が水晶デバイスである場合、水晶発振器、水晶振動子、温度補償水晶発振器、プログラマブル高周波水晶発振器、フィルタ、リアルタイムクロックモジュールなどの水晶デバイスのカテゴリー（品種）、出力周波数、動作電圧などの複数の品種に共通するデータを記憶している。基本データ記憶部３４ｂは、検索対象となる製品のデータベースとなっていて、製品のカテゴリー、型名（機種名）、それに対応した出力周波数、動作電圧、底面寸法（Ｌ×Ｗ）、高さである厚み（Ｈ）などを記憶している。また、詳細データ記憶部３４ｃは、基本データ記憶部３４ｂに記憶されている製品から選択された製品の詳細データ（例えば、使用温度範囲、その温度範囲における周波数偏差など）を記憶している。
【００１４】
リンクデータ記憶部３４ｄは、基本データ記憶部３４ｂに記憶されている製品のカタログのページを電子化して記憶させてあり、製品に関するすべての情報を一覧表によって表示できるようにしてあるとともに、注意事項や製品の写真、図などが含まれている。関連性管理データ記憶部３４ｅは、検索結果を迅速に引き出すためのもので、例えば「製品Ａはこのサイズしかない」とか、「製品Ｂはこのパッケージしかない」などを記憶している。
【００１５】
検索条件提供部２６は、通信部２２、通信網１４を介してユーザ端末１６に製品を検索するための検索条件入力画面を表示し、ユーザ端末１６が送信した検索条件が入力するようになっている。そして、検索条件提供部２６に入力した検索条件は、製品検索部３６に与えられる。製品検索部３６は、記憶部３４の基本データ記憶部３４ｂを検索する基本データ検索部４６と、詳細データ記憶部３４ｃを検索する詳細データ検索部４８とを有する。また、基本データ検索部４６は、ソート条件設定部４６ａを有していて、検索して抽出した複数の製品を、設定された所定のソート条件に基づいて表示の順序を並べ替えて出力する。製品検索部３６の検索結果は、バス３２を介して通信部２２に出力され、通信網１４を介してユーザ端末１６に表示される。
【００１６】
なお、基本データ検索部４６は、後述するように、製品の底面寸法（底面積）または高さ寸法のいずれか一方のみを指定した検索が可能となっている。また、基本データ検索部４６は、検索条件に該当する製品のデータが基本データ記憶部３４ｂに格納されていない場合、詳細を後述するように、ユーザの要求する仕様の書き込みができる検索結果を出力する。
【００１７】
カスタム引合い仕様入力部２８は、基本データ検索部４６の検索結果が「該当なし」となって、ユーザ端末１６から要求仕様とユーザ情報とが出力されると、その内容が入力する。カスタム引合い仕様入力部２８は、入力した要求仕様とユーザ情報とを要求仕様・ユーザ情報確認部３８に送る。要求仕様・ユーザ情報確認部３８は、ユーザがユーザ端末１６に入力した内容を確認すると、要求仕様とユーザ情報とを要求仕様・ユーザ情報格納部４０に書き込む。また、カスタム引合い仕様入力部２８は、確認された要求仕様とユーザ情報とを、バス３２を介して通信部２２に出力し、通信網１８を介してカスタム引合いシステム運営サーバ２０に送信する。
【００１８】
このようになっている製品情報提供システムの作用は、次のとおりである。なお、この実施形態においては、水晶デバイスの検索を例にして説明するが、これに限定されるものでないことはもちろんである。
【００１９】
まず、ユーザがユーザ端末１６を用いて検索システム運営サーバ１２にアクセスすると、検索システム運営サーバ１２の検索条件提供部２６は、検索条件入力画面のデータをバス３２に出力する。この入力画面のデータは、通信部２２を介して通信網１４に出力され、ユーザ端末１６に送信されてユーザ端末１６に表示される（図１ステップＳ１０）。検索条件入力画面５０は、図４に示したように、製品特性入力部５２とパラメータ入力部５４とから構成してある。製品特性入力部５２は、検索条件として周波数（Ｆｒｅｑｕｅｎｃｙ）、製品の品種（Ｃａｔｅｇｏｒｙ）、パッケージの形態（Ｐａｃｋａｇｅ  Ｔｙｐｅ）、製品の底面積（Ａｒｅａ）、製品の高さである厚み（Ｔｈｉｃｋｎｅｓｓ）を入力するようになっている。これらは、プルダウンメニュー方式で入力できるようにしてある。
【００２０】
この実施形態においては、製品の底面積を入力する場合、製品が矩形状をなしているときは、長さ（Ｌ）×幅（Ｗ）のように底面寸法を入力するようにしてある。また、製品が円筒状の場合、製品の直径×長さ（Ｌ）を入力する。そして、実施形態においては、底面積または厚みのいずれかを一方のみを入力した状態で検索が可能となっている。もちろん、両方を入力して検索することができる。また、底面積と厚みとの両方が入力されない場合、入力された周波数と品種とパッケージ形態とに合致するすべてのものが選択される。なお、この実施形態の場合、製品の周波数は検索の必須条件となっている。
【００２１】
ユーザは、検索条件入力画面５０に所定の検索条件を入力し、検索ボタン（ＳＥＡＲＣＨ）５６をクリックすると、図１のステップＳ１２に示したように、ユーザ端末１６から検索システム運営サーバ１２に検索条件が送信される。ユーザ端末１６から送信された検索条件は、検索システム運営サーバ１２の通信部２２に受信され、検索条件提供部２６を介して製品検索部３６に入力される。そして、製品検索部３６の基本データ検索部４６は、入力された検索条件に従って記憶部３４の基本データ記憶部３４ｂを検索し（図１ステップＳ１４）、検索条件に合った製品のデータがあるか否かを判断する（ステップＳ１６）。
【００２２】
基本データ検索部４６は、ステップＳ１６において検索条件に該当する製品のデータがある場合、ソート条件設定部４６ａに設定されているソート条件に従って、ステップＳ１８に示したようにお奨めランクによるソートを行ない、検索した製品をユーザに推奨する順に表示順を並べ替え、基本データ検索結果をバス３２に出力してユーザ端末１６に送信する（ステップＳ２０）。基本データ検索部４６は、製品の底面積（Ａｒｅａ）が例えば７×３ｍｍのように指定されている場合、この指定された寸法以下の製品を抽出する。また、製品の厚み（Ｔｈｉｃｋｎｅｓｓ）が２ｍｍのように指定されている場合、厚み（高さ）が２ｍｍ以下の製品を抽出する。そして、基本データ検索部４６は、底面積または厚みのいずれか一方のみが指定されている場合、例えば底面積のみが指定されている場合、指定された底面積以下の底面積を有する製品を厚みに関係なく検索して抽出する。
【００２３】
このように、実施形態においては、電子部品の底面積または厚み（高さ）のいずれか一方を指定して検索することができる。このため、ユーザは、電子機器に組込む電子部品の実装面積または厚みに制限を受けている場合、その制限に適合する電子部品を容易に見いだすことができ、部品の調達を容易迅速に行なえ、また電子機器の設計を迅速に行なうことが可能になる。
【００２４】
お奨めランクによるソートは、ユーザの利便性などを考慮したユーザの視点に立ったソート条件に基づくもので、例えば長期間にわたって同じ機種の製品の購入が可能なように、最も遅く（最近に）開発された製品の順、または高機能な製品の順、または使用温度範囲の広い製品の順、または適用範囲の広い順とかに基づいて、検索した製品の順序を推奨する順に並び替える。したがって、ユーザの利用価値が向上し、検索システムの信頼性が高まる。
【００２５】
基本データ検索部４６の出力した検索結果は、例えば図５に示したような検索結果表示画面６０としてユーザ端末１６に表示される。この検索結果表示画面６０は、検索条件を確認できるように検索条件を表示する検索条件表示部６２と、検索条件に該当した製品の一覧表からなる検索結果表示部６４とから構成してある。ユーザは、検索結果表示部６４に表示されている製品の中から、所望の製品にカーソルを合わせてクリックすると、図１のステップＳ２２のようにモデル選択信号が詳細データ要求信号として、ユーザ端末１６が検索システム運営サーバ１２に出力する。なお、新たな検索条件による検索を行なう場合には、新検索（ＮＥＷ  ＳＥＡＲＣＨ）ボタン６８をクリックする。これにより、図４に示した検索条件入力画面５０が検索条件の全てが初期化された状態で表示される。
【００２６】
また、直前の検索条件を活かして、その一部を変更あるいは新たな条件を加えて検索を行なう場合には、再検索（ＳＥＡＲＣＨ  ＡＧＡＩＮ）ボタン６６をクリックする。これにより、直前の検索条件を保持したままの状態で、図４に示した検索条件入力画面５０が表示される。
【００２７】
詳細データ要求信号は、検索システム運営サーバ１２の検索条件提供部２６を介して製品検索部３６の詳細データ検索部４８に与えられる。詳細データ検索部４８は、記憶部３４の詳細データ記憶部３４ｃを検索し（ステップＳ２４）、選択された製品に対応した詳細データを読み出し、ユーザ端末１６に送信して図６に示した詳細データ表示画面７０を表示する（ステップＳ２６）。詳細データ表示画面７０は、選択したモデル（製品）を表示するモデル表示部７２と、検索結果を表示する検索結果表示部７４とから構成してある。検索結果表示部７４には、実施形態の場合、詳細データとして周波数偏差（Ｆｒｅｑｕｅｎｃｙ  Ｔｏｌｅｒａｎｃｅ）、動作温度範囲（Ｏｐｅｒａｔｉｎｇ  Ｔｅｍｐｅｒａｔｕｒｅ）、出力周波数（Ｆｒｅｑｕｅｎｃｙ）、周波数温度特性（Ｆｒｅｑ．Ｔｅｍｐ  Ｃｈａｒａｃｔｅｒｉｓｔｉｃｓ）が表示される。そして、詳細データ表示画面７０には、基本データ検索結果のリストから次の製品を選択できるように、図５に示した検索結果表示画面６０に戻るためのバック（ＢＡＣＫ）ボタン７６と、新たな検索条件による検索のための新検索ボタン７８とが設けてある。さらに、詳細データ表示画面７０には、カタログボタン８０が設けてあって、このカタログボタン８０をクリックすると、図１のステップＳ２８に示したように、製品カタログ表示要求信号がユーザ端末１６から検索システム運営サーバ１２に送信される。
【００２８】
製品カタログ表示要求信号は、検索システム運営サーバ１２のデータ登録・変更処理部２４に入力される。データ登録・変更処理部２４は、製品カタログ表示要求信号が入力すると、記憶部３４のリンクデータ記憶部３４ｄの対応する製品カタログデータにリンクし（ステップＳ３０）、製品カタログデータを読み出してユーザ端末１６に送信して表示する（ステップＳ３２）。
【００２９】
一方、製品検索部３６の基本データ検索部４６は、ステップＳ１６において、基本データ検索の条件を満たす製品のデータが、基本データ記憶部３４ｂに存在しないと判断した場合、図７に示したカスタム引合いルーチンへ移行し、図７のステップＳ４０に示したように、図８に示した該当なしおよびカスタム引合い画面（以下、単にカスタム引合い画面という）９０をユーザ端末１６に表示する。
【００３０】
カスタム引合い画面９０は、検索条件表示部９２と、要求仕様記入部９４と、ユーザ情報記入部９６とから構成してある。検索条件表示部９２は、基本データの検索条件が表示される。そして、要求仕様記入部９４は、基本データ検索条件には含まれていない、ユーザの本来希望する仕様（要求仕様）、例えば特殊な使用温度（通常の使用温度範囲を外れた高温または低温など）、通常では得られない小さな周波数偏差、フィルタの特殊な透過周波数帯域などを書き込むようになっている。また、ユーザ情報記入部９６には、製品を発注する担当者の氏名、会社名、その住所、電話番号、メールアドレスなどが記入される。そして、ユーザ端末１６は、ユーザがカスタム引合い画面９０に表示されている記入内容確認ボタン９８をクリックすると、図７のステップＳ４２において仕様登録要求が選択されたものとして、ステップＳ４４のように、カスタム引合い画面９０に記入された要求仕様およびユーザ情報を基本データ検索条件とともに検索システム運営サーバ１２に送信する。一方、ユーザがカスタム引合い画面９０に表示されている新検索ボタン１００をクリックすると、図１のステップＳ１０に戻り、ユーザ端末１６に検索条件入力画面５０が表示される。
【００３１】
ユーザ端末１６の出力した要求仕様・ユーザ情報は、検索システム運営サーバ１２のカスタム引合い仕様入力部２８を介して要求仕様・ユーザ情報確認部３８に入力する。要求仕様・ユーザ情報確認部３８は、ステップＳ４６のように、ユーザ情報記入部９６に必要な情報が記入されているかなどの、入力してきた情報の内容を確認する処理を行ない、カスタム引合い仕様入力部２８を介して、ユーザ端末１６に要求仕様・ユーザ情報の確認をする表示を行なう（ステップＳ４８）。
【００３２】
ユーザは、カスタム引合い画面９０に書き込んだ内容に誤りがある場合、ステップＳ５０の確認ＯＫの処理を行なわずに記入内容を修正し、再びステップＳ４２に戻って記入内容確認ボタン９８をクリックする。これにより、ステップＳ４４〜Ｓ５０が繰り返される。
【００３３】
ユーザは、カスタム引合い画面９０に書き込んだ内容が正しい場合、ステップＳ５０において確認ＯＫの処理をする。これにより、ユーザ端末１６は、ステップＳ５２のように、要求仕様・ユーザ情報確定信号を検索システム運営サーバ１２に向けて送信する。この要求仕様・ユーザ情報確定信号は、検索システム運営サーバ１２の通信部２２に受信され、カスタム引合い仕様入力部２８を介して要求仕様・ユーザ情報確認部３８に入力される。要求仕様・ユーザ情報確認部３８は、確認信号を受けるとカスタム引合い画面９０に記入された要求仕様とユーザ情報とを基本データ検索条件とともに要求仕様・ユーザ情報格納部４０に書き込む（ステップＳ６０）。また、カスタム引合い仕様入力部２８は、要求仕様・ユーザ情報確定信号を受けると、バス３２を介して要求仕様・ユーザ情報の内容を通信部２２に出力し、イントラネットなどの通信網１８を介してカスタム引合いシステム運営サーバ２０に転送する（ステップＳ６２）。
【００３４】
カスタム引合いシステム運営サーバ２０は、例えば水晶デバイスの製造メーカに設置されていて、カテゴリーごとの担当者が即座に要求に応ずることができるか否か、できない場合は納期などの対応の可否を検討し（ステップＳ６４）、電子メールや電話などによって対応可否の判断結果をユーザにフィードバックする（ステップＳ６６）。したがって、ユーザは、本来希望する仕様の製品を見つけるのに何度も検索を行なう必要がなく、無駄な手間を省くことができる。また、メーカ側は、ユーザが本当に望んでいる仕様を迅速に把握することができる。
【００３５】
なお、前記実施形態においては、製品が水晶デバイスである場合について説明したが、製品は半導体装置やコンデンサ、抵抗器、コイルなどの他の電子部品であってもよい。また、前記実施形態においては、検索システム運営サーバ１２の管理者側が設定したソート条件によって、検索した製品を並べ替えるようにした場合について説明したが、ソート条件設定部４６ａに複数のソート条件を設定し、ユーザがソート条件を選択できるようにしてもよい。また、上記の本発明の製品情報提供システムにおいて実行される各ステップは、各処理をコンピュータに実行させるプログラムとして構成できる。さらに、前記実施形態においては、検索システム運営サーバ１２とカスタム引合いシステム運営サーバ２０とを設置する場合について説明したが、カスタム引合いシステム運営サーバ２０の機能を、検索システム運営サーバ１２に持たせてもよい。
【図面の簡単な説明】
【００３６】
【図１】実施の形態に係る基本データおよび詳細データの検索方法を説明するフローチャートである。
【図２】実施の形態に係る製品情報提供システムの基本構成を示すブロック図である。
【図３】実施の形態に係る検索システム運営サーバのブロック図である。
【図４】実施の形態に係る検索条件入力画面の一例を示す図である。
【図５】実施の形態に係る基本データ検索結果の表示例を示す図である。
【図６】実施の形態に係る詳細データの表示例を示す図である。
【図７】実施の形態に係るカスタム引合いルーチンを説明するフローチャートである。
【図８】実施の形態に係る該当なしおよびカスタム引合い画面の一例を示す図である。
【符号の説明】
【００３７】
１０………製品情報提供システム、１２………検索システム運営サーバ、１４、１８………通信網、１６、１６ａ、１６ｂ、１６ｎ………ユーザ端末、２０………カスタム引合いシステム運営サーバ。
【図１】
2005092602.tif 000003
【図２】
2005092602.tif 000004
【図３】
2005092602.tif 000005
【図４】
2005092602.tif 000006
【図５】
2005092602.tif 000007
【図６】
2005092602.tif 000008
【図７】
2005092602.tif 000009
【図８】
2005092602.tif 000010